(57)【特許請求の範囲】
【請求項１】
所定の軸に沿って伸縮可能に少なくとも第１のパイプと第２のパイプを入れ子式に摺動可能に組み合わせてなり、軸沿いに上端と下端を有する中棒と、
前記中棒の前記上端側に取り付けられた方向反転部材と、
前記第１のパイプが前記下端から離れた状態にあるとき、前記第１のパイプの伸長位置を維持するよう、ばねの弾性力により前記第１のパイプを係止する、前記第２のパイプに設けられた中棒保持部材と、
前記中棒上に軸方向に沿って傘を展開させる上側位置と傘を折畳む下側位置との間を摺動可能に設けられたランナーと、
前記第１のパイプを係止するようにばねの弾性力により付勢する、前記ランナーに設けられたランナー保持部材と、
前記第１のパイプを前記中棒の下端に近い収縮位置に向けて付勢するように設けられた閉傘作動部材と、
前記中棒の下端に取り付けられ、第１と第２の係着部を有するハンドルと、
前記ハンドルに設けられたテンション保持部材であって、前記第１の係着部に係止されるタブ部材が設けられ、手動により前記タブ部材が前記第１の係着部との係止を解除すると、前記ハンドルに対して軸方向に移動するように解き放されるテンション保持部材と、
前記テンション保持部材に連結された第１の後端部と、前記中棒を貫通して前記第１のパイプに至る第１の前端部とを有する第１の引き紐と、
前記第１のパイプに設けられ、前記第１の前端部に連結されており、前記第１のパイプが前記収縮位置から前記伸長位置に移動したとき、前記第１の引き紐が引き伸ばされて緊張状態となる近接位置に移動する作動部材と、
前記作動部材と前記第２のパイプとの間に設置され、前記テンション保持部材が解放されると、前記作動部材の遠隔位置に向けた上方への移動によって前記ランナー保持部材が押動されて前記第１のパイプから脱離し、前記ランナーが前記上側位置に向かって移動するように第１の付勢力を蓄積する第１の補助付勢部材と、
前記第２の係着部を解放可能に係止するように前記ハンドルに取り付けられた支持部材と、
前記支持部材に連結された第２の後端部を有し、前記中棒内を接続端部まで軸沿いにのび、前記第１のパイプが前記伸長位置に移動したときに引き伸ばされる引張ばねであって、前記第２の係着部から前記支持部材が解放されることで解放可能な牽引力を前記接続端部に与える引張ばねと、
前記ランナーに設けられた第２の前端部を有し、前記テンション保持部材が解き放されると、前記ランナーが前記下側位置から前記上側位置に移動するため、前記牽引力が前記第２の前端部を引き上げるように、上側にのびて前記方向反転部材に巻きつけられ、前記接続端部に連結された連結端部までのびた第２の引き紐と、
前記第２の前端部と連結し、前記牽引力に抗するように前記ランナーと共に移動するトリガー部材であって、手動により前記第１のパイプを前記折畳位置から前記伸長位置に移動させると、前記中棒保持部材から軸方向に且つ上向きに前記トリガー部材が配置された待機位置に移動可能に設けられたトリガー部材と、
第２の付勢力を蓄積するよう、設けられた第２の補助付勢部材であって、前記ランナーと前記トリガー部材が前記下側位置に移動可能なように、前記牽引力が解放されると直ちに、前記第１のパイプから脱離するように前記中棒保持部材を押し動かすため、前記トリガー部材は前記第２の付勢力によって前記待機位置から離れるように下方へと急速移動し、これによって前記閉傘作動部材が前記第１のパイプを前記伸長位置から前記収縮位置へと動かせるように設けられた第２の補助付勢部材と、
を備えていることを特徴とする折畳傘。
【請求項２】
前記第１のパイプの下部に掛止用スリットが形成され、
前記第２のパイプの上部に前記スリットに掛止される掛止座が設けられ、
前記中棒保持部材は、前記掛止座に設けられて、その一端部が、前記第１のパイプが前記伸長位置に移動したとき、前記スリットに嵌入して掛止されるように前記第２のパイプの径方向且つ外側に付勢されていることを特徴とする請求項１に記載の折畳傘。
【請求項３】
前記掛止座は、上向きの上端面を有し、
前記第１の補助付勢部材は、前記作動部材と前記掛止座の上端面との間に設置されていることを特徴とする請求項２に記載の折畳傘。
【請求項４】
前記ランナー保持部材は、先端部を有し、
前記第１のパイプの下部に、前記先端部が前記第１のパイプ内に突き出されるように、径方向にのびる通孔が形成され、
前記作動部材は、前記先端部に当接するカム面を有し、
前記作動部材が前記近接位置から前記遠隔位置に移動したとき、前記先端部は、前記カム面によって前記通孔の径方向且つ外側に後退するように押し動かされることを特徴とする請求項２に記載の折畳傘。
【請求項５】
前記ランナーは、前記トリガー部材が前記待機位置へ移動するように案内するよう軸方向にのびるガイドルートを画成する案内部材を有することを特徴とする請求項１に記載の折畳傘。
【請求項６】
前記ハンドルは、
設置空間を画成し、前記第１の係着部が前記設置空間内に形成された内筒体と、
前記内筒体を取り囲むように設けられ、取付孔が形成されている外筒体と、
前記取付孔に設置され、前記タブ部材の前記第１の係着部との係止の解除、及び、前記第２の係着部の前記支持部材との係止の解除を手動操作する２つの押圧部を有する押しボタンと、
前記押しボタンを遮へいするため、前記外筒体に対して移動可能に前記外筒体を取り囲むように取り付けられたシェルと、
を備えていることを特徴とする請求項１に記載の折畳傘。
【請求項７】
前記テンション保持部材は、
前記設置空間において軸方向に移動可能に設けられた外壁であって、前記第１の係着部に係止されるように径方向にのびる前記タブ部材が設けられた外壁と、
前記外壁に挿入され、前記第１の引き紐の第１の後端部に連結されたスリーブ部材と、
前記外壁と前記スリーブ部材との間に設けられ、前記タブ部材が前記第１の係着部との係着から解除されると、上向きに移動するように前記外壁を付勢する付勢部材と、を有することを特徴とする請求項６に記載の折畳傘。
【発明の詳細な説明】
【技術分野】
【０００１】
本発明は、折畳傘に関する。
【背景技術】
【０００２】
従来の折畳傘として、図１６に示すように、所定の長さに伸長可能な中棒２を有し、該中棒の上端付近に上ろくろ３が、下端にハンドル１が取り付けられ、中棒２上に長手方向に沿って摺動可能なランナー４が設けられ、骨組ユニット５が上ろくろ３とランナー４とに連結されてなる折畳傘がある（特許文献１参照）。この折畳傘では、ハンドル１に押しボタン１０１が設置されている。中棒２は径幅が異なる複数のパイプ２０１が入れ子式に相対的に摺動し伸縮可能に組合わされてなり、また、中棒２が伸長されたときこれらのパイプ２０１における隣接する２つのパイプ２０１を繋げるよう複数のばね仕掛けの係止リング２０２が設けられている。ランナー４にはランナー４が中棒２に定位されるためのラッチ３０１が設けられている。中棒２には閉傘制御ユニット６が取り付けられており、閉傘制御ユニット６は、上ろくろ３及びハンドル１の間に設けられたメインばね６０１と、ハンドル１内に取り付けられメインばね６０１のハンドル１側の端が接続された定位ブロック６０２と、その両端がそれぞれ定位ブロック６０２とハンドル１の底部に接続された第１のばね６０３と、その一端が定位ブロック６０２に接続されたひも６０４と、その一端部がひも６０４の他端に接続された作動部材６０５と、作動部材６０５を下向きに付勢するばねであって作動部材６０５の一端部側に取り付けられた第２のばね６０８とを含む。作動部材６０５の他端に大径部６０６と小径部６０７とを有する。
【０００３】
従来の折畳傘を使用するとき、片手でランナー４を上ろくろ３に向かって摺動させて中棒２を伸長させ、係止リング２０２によって中棒２の伸長状態を保持すると同時に、定位ブロック６０２が押しボタン１０１の保持位置に留められると共に、作動部材６０５の小径部６０７がラッチ３０１に係止されると、ランナー４を中棒２に定位させる。
【０００４】
展開された傘を閉じるとき、押しボタン１０１を押して、定位ブロック６０２が押しボタン１０１の保持位置から動かされる。第２のばね６０８が連動して作動部材６０５が下方へ移動し、大径部６０６によってラッチ３０１による係止を解除してランナー４が中棒２を摺動すると、骨組ユニット５を閉じることができる。また、メインばね６０１の弾性力によって、ランナー４がハンドル１側に摺動しながら係止リング２０２を引っ込ませて、伸長した中棒２を収縮させることができる。
【先行技術文献】
【特許文献】
【０００５】
【特許文献１】台湾特許第５７１６５７号明細書
【発明の概要】
【発明が解決しようとする課題】
【０００６】
特許文献１に記載された従来の折畳傘は、乗車などのときワンタッチで押しボタン１０１を押すことで自動的に閉傘され、コンパクトに折畳まれることができるので、使用者にとっては便利であるが、開傘時、ランナー４を骨組ユニット５が完全に展開する位置にまで到達させるには、メインばね６０１の弾性力に対抗してランナー４を動かさなければならず、大きな力を要するため、使い勝手が悪い。
【０００７】
本発明は、上記問題点に鑑みてなされたものであり、楽に開閉することができ、使い勝手のよい折畳傘を提供することを目的とする。
【課題を解決するための手段】
【０００８】
上記目的を達成するために、本発明は、所定の軸に沿って伸縮可能に少なくとも第１のパイプと第２のパイプを入れ子式に摺動可能に組み合わせてなり、軸沿いに上端と下端を有する中棒と、前記中棒の前記上端側に取り付けられた方向反転部材と、前記第１のパイプが前記下端から離れた状態にあるとき、前記第１のパイプの伸長位置を維持するよう、ばねの弾性力により前記第１のパイプを係止する、前記第２のパイプに設けられた中棒保持部材と、前記中棒上に軸方向に沿って傘を展開させる上側位置と傘を折畳む下側位置との間を摺動可能に設けられたランナーと、前記第１のパイプを係止するようにばねの弾性力により付勢する、前記ランナーに設けられたランナー保持部材と、前記第１のパイプを前記中棒の下端に近い収縮位置に向けて付勢するように設けられた閉傘作動部材と、前記中棒の下端に取り付けられ、第１と第２の係着部を有するハンドルと、前記ハンドルに設けられたテンション保持部材であって、前記第１の係着部に係止されるタブ部材が設けられ、手動により前記タブ部材が前記第１の係着部との係止を解除すると、前記ハンドルに対して軸方向に移動するように解き放されるテンション保持部材と、前記テンション保持部材に連結された第１の後端部と、前記中棒を貫通して前記第１のパイプに至る第１の前端部とを有する第１の引き紐と、前記第１のパイプに設けられ、前記第１の前端部に連結されており、前記第１のパイプが前記収縮位置から前記伸長位置に移動したとき、前記第１の引き紐が引き伸ばされて緊張状態となる近接位置に移動する作動部材と、前記作動部材と前記第２のパイプとの間に設置され、前記テンション保持部材が解放されると、前記作動部材の遠隔位置に向けた上方への移動によって前記ランナー保持部材が押動されて前記第１のパイプから脱離し、前記ランナーが前記上側位置に向かって移動するように第１の付勢力を蓄積する第１の補助付勢部材と、前記第２の係着部を解放可能に係止するように前記ハンドルに取り付けられた支持部材と、前記支持部材に連結された第２の後端部を有し、前記中棒内を接続端部まで軸沿いにのび、前記第１のパイプが前記伸長位置に移動したときに引き伸ばされる引張ばねであって、前記第２の係着部から前記支持部材が解放されることで解放可能な牽引力を前記接続端部に与える引張ばねと、前記ランナーに設けられた第２の前端部を有し、前記テンション保持部材が解き放されると、前記ランナーが前記下側位置から前記上側位置に移動するため、前記牽引力が前記第２の前端部を引き上げるように、上側にのびて前記方向反転部材に巻きつけられ、前記接続端部に連結された連結端部までのびた第２の引き紐と、前記第２の前端部と連結し、前記牽引力に抗するように前記ランナーと共に移動するトリガー部材であって、手動により前記第１のパイプを前記折畳位置から前記伸長位置に移動させると、前記中棒保持部材から軸方向に且つ上向きに前記トリガー部材が配置された待機位置に移動可能に設けられたトリガー部材と、第２の付勢力を蓄積するよう、設けられた第２の補助付勢部材であって、前記ランナーと前記トリガー部材が前記下側位置に移動可能なように、前記牽引力が解放されると直ちに、前記第１のパイプから脱離するように前記中棒保持部材を押し動かすため、前記トリガー部材は前記第２の付勢力によって前記待機位置から離れるように下方へと急速移動し、これによって前記閉傘作動部材が前記第１のパイプを前記伸長位置から前記収縮位置へと動かせるように設けられた第２の補助付勢部材とを備えていることを特徴とする折畳傘を提供する。
【発明の効果】
【０００９】
本発明の折畳傘によれば、開傘の際、押しボタンを押すと、引張ばね、第１の補助付勢部材、ランナーが自動的に上側位置に移動することにより、傘を展開することができる。また、閉傘の際、押しボタンを押すと、引張ばねとトリガー部材による第２の補助付勢部材とが協働して、中棒保持部材が第１のパイプから簡単に脱離することができるので、傘の開閉に大きな力を要することもなく、使い勝手がよい。
【図面の簡単な説明】
【００１０】
【図１】本発明に係る折畳傘の主要構成を示す分解斜視図である。
【図２】第１の引き手段の構成を示す斜視図である。
【図３】第２の引き手段及びランナーの構成を示す斜視図である。
【図４】本発明の折畳傘の主要構成を示す断面図である。
【図５】図４のＶ-Ｖ線に沿った断面図である。
【図６】図５の一部を示す拡大断面図である。
【図７】本発明の折畳傘の伸長状態を示す断面図である。
【図８】図７の一部を示す拡大断面図である。
【図９】図８のIX-IX線に沿った断面図である。
【図１０】本発明の折畳傘の展開状態を示す断面図である。
【図１１】図９のXI-XI線に沿った断面図である。
【図１２】本発明の折畳傘の閉傘状態を示す断面図である。
【図１３】図１２の一部を示す拡大断面図である。
【図１４】本発明の折畳傘における中棒の伸長位置から収縮位置への移動を説明する断面図である。
【図１５】本発明の折畳傘の折畳状態を示す断面図である。
【図１６】従来の折畳傘の一例の内部構造を示す図である。
【発明を実施するための形態】
【００１１】
以下、添付図面を参照して本発明の好適な実施の形態を詳細に説明する。尚、下記実施例は、本発明の好適な実施の形態を示したものにすぎず、本発明の技術的範囲は、下記実施例そのものに何ら限定されるものではない。
【００１２】
図１、４、５に示すように、本発明に係る折畳傘は、所定軸Ｌ沿いに伸び、上端２４と下端２５を有する中棒２０と、中棒２０の上側に取り付けられた上ろくろ３０と、中棒２０上に軸方向に沿って傘を展開させる上側位置と傘を折畳んだ下側位置との間に摺動可能に設けられたランナー４０と、中棒２０の下端２５に取り付けられたハンドル１０と、ハンドル１０と上ろくろ３０との間に設けられた閉傘作動部材７６と、ハンドル１０内に取り付けられたテンション保持部材６１と、長棒２０内を通る第１と第２の引き手段６０、７０とを有する。
【００１３】
中棒２０は、所定の軸Ｌに沿って伸縮可能に、２本以上の第１のパイプ２３、第２のパイプ２２、第３のパイプ２１を上から入れ子式に摺動可能に組み合わしてなる。
【００１４】
第１のパイプ２３と第２のパイプ２２はそれぞれの下部に掛止用スリット２３１、２２１が形成されている。第２のパイプ２２と第３のパイプ２１のそれぞれの上部にスリット２３１、２２１に掛止される掛止座２６２、２６１が設けられている。第１のパイプ２３の下部には径方向に貫通した通孔２３２が形成されている。
【００１５】
中棒保持部材２４２、２４１は、例えば針金ばね２６、２６による弾性力で径方向の外側に向けて付勢されるようにそれぞれ掛止座２６２、２６１に枢結され、それぞれの一端部２４３、２４４が揺動して第１のパイプ２３と第２のパイプ２２とが中棒２０の下端から上側に移動した伸長位置にあるとき、針金ばね２６によって中棒保持部材２４２、２４１のそれぞれの一端部２４３、２４４が対応する第２のパイプ２２と第３のパイプ２１のスリット２３１、２２１にぱちんと嵌入して掛止される。
【００１６】
方向反転部材３１は、例えば滑車であり、中棒２０の上端２４側に上ろくろ３０に取り付けられている。
【００１７】
ランナー４０には、径方向に貫通した通し穴４３が形成されている。通し穴４３にランナー保持部材６２が配置され、ランナー保持部材６２は、ばね６３などの弾性部材により押圧付勢されて通孔２３２を介して第１のパイプ２３に至る先端部６２１を有する（図９参照）。ランナー４０は軸方向にのびるガイドルート４１を画成する案内部材４４を有する。
【００１８】
ハンドル１０は、設置空間１１１を画成する内筒体１１と内筒体１１を取り囲む外筒体１２とを有し、内筒体１１は、図４に示すように設置空間１１１内に第１の係着部１１２を形成し、外筒体１２は取付孔１２１が設けられ、この取付孔１２１に押しボタン１４が設置されている。押しボタン１４は手動操作可能な第１の押圧部１４１と第２の押圧部１４２を有する。シェル１３が外筒体１２を取り囲むようにまた外筒体１２に対して移動可能に取り付けられ、押しボタン１４を遮へいすることが可能である。内筒体１１は径方向に内向きにＬの字形に折り曲げられた保持レバー１５が枢結され、保持レバー１５は内向きにフック状に形成されており、ばね１６などの弾性部材により径方向の内側に向けて付勢される第２の係着部としての下端部１５１と、第２の押圧部１４２によって作動される上端部１５２とを有する。
【００１９】
閉傘作動部材７６がハンドル１０と上ろくろ３０との間に設けられており、例えばばねなどの弾性部材を用い、第１のパイプ２３と第２のパイプ２２を付勢して中棒２５の下端２５に近い収縮位置に移動させるように作動する。
【００２０】
内筒体１１に例えば円筒状のテンション保持部材６１が軸Ｌ沿いに移動可能に設けられ、テンション保持部材６１は設置空間１１１から内筒体１１の上側にのびる外壁６１１を有し、外壁６１１には、その外面が径方向に凹凸状に突き出て第１の係着部１１２に係止されるタブ部材６１４が設けられている。テンション保持部材６１内に外壁６１１に挿入されるスリーブ部材６１２が設けられ、スリーブ部材６１２と外壁６１１との間にばねなどの付勢部材６１３が嵌入され、タブ部材６１４が第１の係着部１１２との係着から解除されると、上向きに移動するように外壁６１１を付勢するようになっている。
【００２１】
図１、２、４に示すように、第１の引き手段６０は、第１の引き紐６６と、作動部材６４と、第１の補助付勢部材６５とを有する。第１の引き紐６６は、スリーブ部材６１２に連結された第１の後端部６６１と、中棒２０内を通って第１のパイプ２３に至る第１の前端部６６２とを有する。作動部材６４は第１の引き紐６６の第１の前端部６６２に連結されており、第１のパイプ２３に取り付けられ、第１のパイプ２３が収縮位置から伸長位置に移動したとき、第１の引き紐６６が引っ張られて緊張状態にある近接位置に移動するようになっている。図９に示すように、作動部材６４は、一部を切り欠いてランナー保持部材６２の先端部６２１に当接する傾斜状カム面６４２を有する。図６に示すように、掛止座２６２は上向きの上端面２６３を有する。第１の補助付勢部材６５は、作動部材６４と掛止座２６２の上端面２６３との間に設置されている。
【００２２】
図１、３、７、８に示すように、第２の引き手段７０は、支持部材７４と、引張ばね７５と、第２の引き紐７１と、トリガー部材７２と、第２の補助付勢部材７３とを有する。支持部材７４は、保持レバー１５の第２の係着部としての下端部１５１に着脱可能に係止されるようにハンドル１０に取り付けられている。引張ばね７５は支持部材７４に連結された第２の後端部７５１を有し、中棒２０内を接続端部７５２まで軸沿いにのびている。第２の引き紐７１は、案内部材４４に設けられた第２の前端部７１１を有し、上側にのびて方向反転部材３１に巻きつけられ、接続端部７５２に連結された連結端部７１２までのびている。トリガー部材７２は、中空筐体状に形成されており、第２の引き紐７１の第２の前端部７１１に連結され、案内部材４４のガイドルート４１に沿って移動可能になっている。第２の補助付勢部材７３は、例えばばねなどの弾性部材を用い、案内部材４４の上壁の内側とトリガー部材７２との間に取り付けられている。
【００２３】
以下、本発明の傘の開閉動作を説明する。
【００２４】
図４から６に本発明の傘の閉傘折畳状態を示す。閉傘折畳状態において、中棒２０は収縮位置に、ランナー４０は下側位置にあり、シェル１３は押しボタン１４を遮へいする位置にある。そして、引張ばね７５と閉傘作動部材７６が縮んで退縮位置にある。
【００２５】
図７から図９に示すように、本発明の傘を開けようとするとき、ユーザーは片手でハンドル１０を握ってもう一方の片手で上ろくろ３０を上向きに引くと、第１のパイプ２３と第２のパイプ２２が収縮位置から伸長位置に移動し、シェル１３も移動して押しボタン１４を露出させる。引張ばね７５と閉傘作動部材７６は引っ張られて引き伸ばし位置にある。このとき、中棒保持部材２４２、２４１のそれぞれの一端部２４３、２４４が対応する第２のパイプ２２と第３のパイプ２１のスリット２３１、２２１にぱちんと嵌入して掛止されているので、中棒２０が伸長位置に定位される。第１の引き紐６６が緊張状態にあるので、第１の補助付勢部材６５が、作動部材６４によって圧縮されて第１の付勢力が蓄積される。ランナー保持部材６２の先端部６２１が、通孔２３２を介して第１のパイプ２３に至るように押し付けられて第１のパイプ２３を係止することによって、ランナー４０を中棒２０に対して定位させる。第２の引き紐７１が、トリガー部材７２による対抗力及び引張ばね７５の引き伸ばしによる牽引力によって引っ張られると共に、中棒保持部材２４２の上側から軸沿いに上向きにトリガー部材７２が設置される待機位置へと、トリガー部材７２が移動する。それと同時に、補助付勢部材７３が、トリガー部材７２によって圧縮されて第２の付勢力が蓄積される。
【００２６】
次いで、図１０と１１に示すように、第１の押圧部１４１が押されて、タブ部材６１４と第１の係着部１１２との係着を解除し、付勢部材６１３によってテンション保持部材６１が上向きに移動する。図２から９に示すように、第１の引き紐６６の接続及び第１の補助付勢部材６５の第１の付勢力によって、作動部材６４が上向きに遠隔位置へと移動する。カム面６４２によって、作動部材６４の移動によりランナー保持部材６２の先端部６２１を上向きに動かし、ランナー保持部材６２の先端部６２１が押されて径方向に通孔２３２の外側に退避するので、ランナー４０が中棒２０に対する掛止から解除される。したがって、引伸ばされた引張ばね７５の接続端部７５２の牽引力によって、ランナー４０が下側位置から上側位置へ移動させられ、傘が開く。
【００２７】
次いで、閉傘するとき、押しボタン１４の第２の押圧部１４２を押すと、支持部材７４が保持レバー１５の下端部１５１との係止から解除されて、引張ばね７５による牽引力が解き放される。引張ばね７５によって支持部材７４が上向きに移動し、傘を閉じるように、第２の引き紐７１が弛緩状態となる。一方、ランナー４０が下向きに移動すると共に、トリガー部材７２が第２の補助付勢部材７３の第２の付勢力によって付勢されて待機位置から下向きに突進するので、中棒保持部材２４２の一端部２４３が押されて第１のパイプ２３から脱離される。従って、第１のパイプ２３が第２のパイプ２２に対して摺動すると共に閉傘作動部材７６によってハンドル１０に向かって収縮位置へと移動すると共に、第３のパイプ２１の内側へと中棒保持部材２４１が押される。このようにして、第２のパイプ２２と第１のパイプ２３が連続的に第３のパイプ２１を覆うように摺動し中棒２０が短く収縮することができる。
【００２８】
図１４と１５に示すように、第１と第２のパイプ２３、２２によってテンション保持部材６１が内筒体１１へ押動されると、タブ部材６１４が第１の係着部１１２に係止される。最後に、手動操作によりシェル１３を押動して押しボタン１４を遮へいする。
【００２９】
このように構成された本発明の傘においては、開傘の際、押しボタン１４を押すと、引張ばね７５、第１の補助付勢部材６５、ランナー４０が自動的に上側位置に移動するので、傘を展開させることができる。また、閉傘の際、押しボタン１４を押すと、第２の補助付勢部材７３の補助を受けた引張ばね７５とトリガー部材７２によって、中棒保持部材２４２が第１のパイプ２３から楽に離れることができるので、傘を閉じると共に第１と第２のパイプ２３、２２が第３のパイプ２１を覆うように摺動して中棒２０を収縮することができる。その結果、傘の開閉は省力的に行うことができ、使い勝手がよい。
【符号の説明】
【００３０】
１０  ハンドル
１１  内筒体
１１１  設置空間
１１２  第１の係着部
１２  外筒体
１２１  取付孔
１３  シェル
１４  押しボタン
１４１  第１の押圧部
１４２  第２の押圧部
１５  保持レバー
１５１  下端部
１５２  上端部
１６  ばね
２０  中棒
２１  第３のパイプ
２２  第２のパイプ
２３  第１のパイプ
２２１、２３１  スリット
２３２  通孔
２４  上端
２４１、２４２  中棒保持部材
２４３、２４４  一端部
２５  下端
２６  針金ばね
２６１、２６２  掛止座
２６３  上端面
３０  上ろくろ
３１  方向反転部材
４０  ランナー
４１  ガイドルート
４３  通し穴
４４  案内部材
６０  第１の引き手段
６１  テンション保持部材
６１１  外壁
６１２  スリーブ部材
６１３  付勢部材
６１４  タブ部材
６２  ランナー保持部材
６２１  先端部
６３  ばね
６４  作動部材
６４２  カム面
６５  第１の補助付勢部材
６６  第１の引き紐
６６１  第１の後端部
６６２  第１の前端部
７０  第２の引き手段
７１  第２の引き紐
７１１  第２の前端部
７１２  連結端部
７２  トリガー部材
７３  第２の補助付勢部材
７４  支持部材
７５  引張ばね
７５１  第２の後端部
７５２  接続端部
７６  閉傘作動部材
【図１】
0005230763.tif 000002
【図２】
0005230763.tif 000003
【図３】
0005230763.tif 000004
【図４】
0005230763.tif 000005
【図５】
0005230763.tif 000006
【図６】
0005230763.tif 000007
【図７】
0005230763.tif 000008
【図８】
0005230763.tif 000009
【図９】
0005230763.tif 000010
【図１０】
0005230763.tif 000011
【図１１】
0005230763.tif 000012
【図１２】
0005230763.tif 000013
【図１３】
0005230763.tif 000014
【図１４】
0005230763.tif 000015
【図１５】
0005230763.tif 000016
【図１６】
0005230763.tif 000017